(57)【要約】      （修正有）【課題】汎用性、経済性のあるかつ安全性、作業性に優れた、再利用不可で、器具を用いずに手で開封できる封緘具の提供。  【解決手段】長尺なバンド体１と、バンド体１の基端に連設された板状のヘッド体２とからなり、ヘッド体２には指押さえ３とロック部を設け、バンド体１の片面にのこ歯状の抜止歯が長手方向に所定ピッチで列設されており、バンド体１を挿通する係合爪７付きの挿通孔６を有し、ロック部の挿通孔６内に挿通されたバンド体１の抜止歯に係合爪７を係合させ、バンド体の逆戻りを確実に阻止する合成樹脂製の封緘具であって、指押さえ３の端部に把持部４とロックとが一体に連接されて切離部５となし、切離部５はヘッド体２との間に解放的な形の引きちぎり可能な裂目を介して接合し、把持部４は封緘具長手方向のセンターを回転軸に任意方向の回せるように構成した。【選択図】図１
2005187063.tif 000002
【特許請求の範囲】
【請求項１】
長尺なバンド体と、該バンド体の基端に連設された板状のヘッド体とからなり、ヘッド体には指押さえとロック部を有し、前記バンド体の片面にのこ歯状の抜止歯が長手方向に所定ピッチで列設されており、バンド体を挿通する係合爪付きの挿通孔を有し、当該ロック部の挿通孔内に挿通されたバンド体の抜止歯に係合爪を係合させる合成樹脂製の封緘具であって、前記指押さえの端部にロック部と一体となる把持部を設け、切離部をなし、該切離部はヘッド体との間に解放的な形の引きちぎり可能な裂目を介して接合し、該把持部は封緘具の長手方向のセンターを回転軸に任意方向に回せるように構成したことを特徴とする封緘具。
【発明の詳細な説明】
【技術分野】
【０００１】  本発明は、たとえば、各郵便局間に郵便物を運搬する際に郵袋の口部などを封緘するために使用される合成樹脂製の、再利用不可で、器具を用いずに手で開封できる封緘具に関するものである。
【背景技術】
【０００２】  従来のこの種の封緘具の一例を挙げると、バンド体側にリング状の切離片を一体に連設し、ロック体側に該切離片と相似する板状の把持片を一体に連設して、当該把持片の外周縁と切離片の内周縁とを切断可能な溝条部で接合してある、開封する場合には切離片を把持片から強く引っ張って、溝条部の切断によって封緘を解除する（例えば、特許文献１参照）。【０００３】  もう一例として、ヘッド体とバンド体の間に引きちぎり可能な裂け目を設ける、開封時、タグ部を引っぱり、タグ部に連結された凸部をヘッド部に干渉させて比較的小さい引張力で裂け目を引き千切ることができ、封緘を解除する（例えば、特許文献２参照）。
【特許文献１】特許第３２１３７９５号
【特許文献２】特開２００１−１９９４７１公報
【発明の開示】
【発明が解決しようとする課題】
【０００４】  郵便物流業務では、一種類の封緘具は郵袋の口部の封緘だけに用いるのではなく、ロールパレットやロールパレットケースなどの封緘にも用いられる。封緘形態は、郵袋の口部をきつく締め付ける場合もあるし、単なるロールパレットのロック金具にシールを施す場合もある。これらは封緘後、人手による運搬や車輛等による輸送の段階においては多くの振動、衝撃を受け、その間、あらゆる方向から互いにぶつかり合い、引っかかり合いすることを予想される。従って、封緘具の使用条件は安全性、作業性、汎用性、経済性の各面が要求される。【０００５】  従来の技術で述べたものの内前者においては、封緘を解除する場合には切離片を把持片から強く引っ張って、溝条部の切断によって封緘を解除する、としている。しかし、実際の使用に際して、最初は切離片のどこを取って引き千切って一番良いかは不明瞭である、つまり、切離片最初の突破口の所在が明らかではないことである。仮に、ロック体の端部にするとしても、切離片の巾が狭く、つかむところの確保が難しく、作業性に問題点を有していた。【０００６】  従来の技術で述べたものの内後者においては、封緘後バンド体の抜止歯より基端側に設けた突起が被結束物に食込み、バンド体の空回りするのを阻止し、タグ部に連結された凸部をヘッド部に干渉させて比較的小さい引張力で裂け目を引き千切ることができ、封緘を解除することになる。但し、郵便物流業務では、封緘具は郵袋の口部の封緘だけではなく、ロールパレットやロールパレットケースなどの封緘にも用いられる。その封緘形態は郵袋の口部をきつく締め付けるとは限らず、例えば、ロールパレットケースの場合、単にシークレットの意味で、シールするだけである、言い替えれば、バンド体にある突起は被結束物に食込みバンド体の空回りするのを阻止するという開封作業の前提が、封緘対象物によって、存在しない場合がある、とすると開封作業は難しくなるわけで、汎用性に問題点を有していた。【０００７】  尚、此の例では、構造的に、比較的小さい引張力で裂け目を引き千切るためには、タグ部をある程度の大きさを確保しなければならない、そうすると、封緘具全体に要する材料の量が多くなる、経済性の面では問題点を有していた。【０００８】  また、実際の搬送、輸送中に、多くの郵袋が互いにぶつかり合い、引っかかり合いすることが予想される。此の例の開封方法の特徴は、“一発開封”なので、タグ部が他の郵袋などに引っかかられ、タグ部に連結された凸部がヘッド部に当たり、裂け目を壊す恐れがあり、安全性に問題点を有していた。【０００９】  本発明は、従来の技術の有するこのような諸問題点に鑑みてなされたものであり、その目的とするところは、汎用性、経済性のあるかつ安全性、作業性に優れた、再利用不可で、器具を用いずに手で開封できる封緘具を提供しようとするものである。
【課題を解決するための手段】
【００１０】  本発明は上記の使用条件に応えることを課題とし、研鑽を重ねて開発したもので、請求項１記載のものは、封緘対象物を締め付ける長尺なバンド体と、該バンド体の基端に連設された板状のヘッド体とからなり、ヘッド体には指押さえとロック部を有し、前記バンド体の片面にのこ歯状の抜止歯が長手方向に所定ピッチで列設されており、ロック部には、バンド体を挿通する係合爪付きの挿通孔を有し、当該ロック部の挿通孔内に挿通されたバンド体の抜止歯に係合爪を係合させ、バンド体の逆戻りを確実に阻止する合成樹脂製の封緘具を前提として、前記指押さえの端部に把持部とロック部とを一体に連設され、切離部となし、該切離部はヘッド体との間に解放的な形の引きちぎり可能な裂目を介して接合し、把持部は封緘具長手方向のセンターを回転軸に任意方向に回せるように構成したことを特徴とする。【００１１】  請求項１記載の封緘具の下では、封緘の際は、バンド体の自由端をロック体の挿通孔内に挿通して引き出せば、バンド体側にある抜止歯に挿通孔内にある係合爪が強固に係合することになる、これにより、バンド体の逆戻りは阻止され、封緘することになる。【００１２】  そこで、今度は、封緘を解除する場合は、まず、把持部を持って、封緘具長手方向のセンターを回転軸に任意方向に回せば、把持部の横両側の裂目の繋がりが切断される、そしてさらに、把持部を引っ張っていくとヘッド体との縦両側の裂目の繋がりが切断される、ヘッド体と切離部の繋がりが完全に切断され、封緘を解除することになる。
【発明の効果】
【００１３】  本発明の封緘具には複雑な構造や機能を設けず、ヘッド体と切離部の間に解放的な形の引きちぎり可能な裂目を介して接合し、把持部をヘッド体端部に設ける簡単な構造で、モーメントの原理を利用し、把持部を回すだけで、裂目を容易に切断することで、封緘の解除が可能となる。また、本発明の封緘具の特有の構成では、過酷な使用条件にも耐えられる。そして、封緘時に使う指押さえと開封時に使う把持部は同じヘッド体の端部に設けられているので、構成上目立たず外観的にも優れている。これらの実現によって、汎用性、経済性、作業性、安全性に富んだ封緘具を初めて提供できることとなった。
【発明を実施するため最良の形態】
【実施例１】
【００１４】  以下、本発明を図示する一実施の封緘具の形態に基づいて詳述すると、本実施の形態に関わる封緘具はポリプロピレン樹脂の一体成形品で、基本的には、図１、図２に示す如く、長尺なバンド体１と、該バンド体１の基端に連設されたヘッド体２からなるものではあるが、特徴とするところは、以下の構成を採用した点にある。【００１５】  ヘッド体２は板状のものであって、ロック部１０と、指押さえ３を有する、該指押さえ３の端部に所望の大きさの“Ｔ”型の把持部４を設ける、該把持部４の下端は、ロック部１０と連設し、この把持部４とロック部１０からなる部分は切離部５である、該切離部５は引きちぎり可能な裂目９を介して、ヘッド体２と一体に接合する構成となっている。該裂目９はヘッド体２の一方の縦外縁から切離部５を沿った形で反対側の縦外縁までと通るように解放的に形成するものである。【００１６】  ロック部１０には、内部にバンド体１をその自由端部１ａ側から挿通する係合爪７付きの挿通孔６を形成するものである。【００１７】成形された封緘具の原形の状態では、封緘具として使用に供されることとなるが、封緘後、一旦、上記裂目９を強制的に分断させると、ヘッド体２と切離部５が完全に分離して、封緘を解除することとなる。【００１８】  依って、本実施例の封緘具の使用に際しては、まず、バンド体１の自由端部１ａをロック部１０の挿通孔６に挿通して先端部１ａをある程度出してから、一方の手が指押さえ３を押さえながら、もう一方の手が先端部１ａを引けば、当該挿通孔６内において、バンド体１の抜止歯８に係合爪７が弾性的に強固にを係合するので、バンド体１の逆戻りを阻止し、確実に封緘することとなる。【００１９】  しかも、この封緘作業においては、例えば、郵袋の封緘のような場合、バンド体１を強く引き、指押さえ３を強く押さえた場合でも、上記指押さえ３の中央部に位置する把持部４は回りの指押さえ３と同一平面にあるので、強く押さえても指押さえ３全体の受ける圧力は同等なので、把持部４だけを切断する心配はまったくない。【００２０】  裂目９の形はヘッド体２の一方の縦外縁から切離部５を沿った形で反対側の縦外縁まで通って方向の違う４辺から解放的に形成するものであるから、封緘作業中及び封緘後の裂目９に対する切断力を効果的に分散できるので、きつく封緘する場合でも、切断の心配はない。【００２１】  開封作業に際しでは、まず、把持部４を封緘具長手方向のセンターを回転軸に任意方向に凡そ直角に回せば、モーメントの原理を利用して、“Ｔ”型把持部４の横両側の裂目９が切断される、そして、更に、引っぱって行けば把持部４の縦両側の裂目９も切断され、切離部５がヘッド体２と完全に分断し、開封することとなる。【００２２】  上記のようなる開封方式なので、バンド体１はきつく締め付けの状態でも、空回りの状態でも、封緘の形態と関係なく、開封することができ、汎用性の面で優れている。【００２３】  このように、把持部４を凡そ直角に回さない限り、横両側の裂目９を切断することは極めて困難なので、人為的な操作以外の破壊要因を防げる。【００２４】  なお、把持部４を含めたヘッド体２の外形は滑らかなので、搬送及び運送中において、他のものに引っかかれ���壊される心配はない。【００２５】  上述の様に、本実施の形態に係わる封緘具の下で、封緘対象物に対し、不正開封しようとする場合は、ヘッド体２と切離部５とを分離してからでなければ、方法はないので、ヘッド体２と切離部５の分離の有無を確認するだけで、不正開封が行われたか否かの判断は一目瞭然となるので、安全性の優位が明らかである。【００２６】  尚、本実施の形態では、裂目９をミシン目状に成形させているわけであるが、これに限定されるものではなく、使用する材質及び封緘対象物の具体な形態によって、該裂目９の形は凹状の薄肉溝条型などに変更することも可能である。又、本実施の形態では、郵袋、ロールパレットやロールパレットケースを封緘対象物として説明したものであるが、応用範囲については、これに限定されるものではなく、本発明の精神に反しない限り、その他の封緘必要なものをも対象とできる。
【図面の簡単な説明】
【００２７】
【図１】本発明の実施の形態に係わる封緘具を示す平面図である。
【図２】図１のＡ−Ａ線断面図である。
【図３】封緘した状態を示す要部断面図である。
【図４】把持部が回され、横両側の繋がりが切断された状態を示す要部外観図である。
【図５】切離部とヘッド体が完全に分離された状態を示す要部外観図である。
【符号の説明】
【００２８】１    バンド体
２    ヘッド体
３    指押さえ
４    把持部
５    切離部
６    挿通孔
７    係合爪
８    抜止歯
９    裂目
１０  ロック部
【図１】
2005187063.tif 000003
【図２】
2005187063.tif 000004
【図３】
2005187063.tif 000005
【図４】
2005187063.tif 000006
【図５】
2005187063.tif 000007